(57)【要約】【課題】液体噴出器の容器の口部に対するロックを確実にして悪戯の防止を図るとともに内容部の補充を行うに当たっては治具等を使うことなく簡単に取り付け、取り外す。【解決手段】容器の口部に装着されるキャップと、このキャップに保持され押圧操作を繰り返して容器内の液体を吸引、加圧して外界に噴出させるポンプ機構を備えた噴出器において、前記キャップを、容器の口部に直接締めつけられて容器内を密閉する内キャップと、この内キャップに極僅かな間隔を隔てて覆いかぶさる外キャップからなるものとし、内キャップと外キャップとの間に、外キャップの胴体部分の押圧に伴う弾性変形にて内キャップと外キャップを係合させてキャップの締め込みとその解除を行う係合手段を設ける。【選択図】        図１
2004344784.tif 000002
【特許請求の範囲】
【請求項１】
容器の口部に装着されるキャップと、このキャップに保持され押圧操作を繰り返して容器内の液体を吸引、加圧して外界に噴出させるポンプ機構を備えた噴出器であって、
前記キャップは、容器の口部に直接締めつけられて容器内を密閉する内キャップと、この内キャップに極僅かな間隔を隔てて覆いかぶさる外キャップからなり、
内キャップと外キャップとの相互間に、外キャップの胴体部分の押圧に伴う弾性変形にて内キャップと外キャップを係合させてキャップの締め込みとその解除を行う係合手段を設けたことを特徴とする液体噴出器。
【請求項２】
係合手段が、少なくとも１つの縦溝とこの縦溝に嵌合する縦リブからなる請求項１記載の液体噴出器。
【請求項３】
内キャップと外キャップとの相互間に、キャップを締めつける向きに内キャップ及び外キャップを供回りさせるが緩める向きには外キャップのみを空転させるラチェットを有する請求項１又は２記載の液体噴出器。
【発明の詳細な説明】
【０００１】
【発明の属する技術分野】
本発明は、容器の口部にねじ止め保持され押圧ヘッドのプライミングによって容器内に充填された液体を適量取り出すのに適した液体噴出器に関するものであり、とくに、該噴出器の容器の口部に対するロックを確実に行うことにより、内容物の入れ換えや抜き取り等の悪戯を未然に防止しようとするものである。
【０００２】
【従来の技術】
シャンプーやリンス、整髪剤等を充填した据え置きタイプの大型容器は、使用の度に内容物を適量取り出すことができるポンプタイプの噴出器が備えられている。
【０００３】
この種の噴出器はポンプ機構を保持するとともに容器の口部を確実に密閉でき、かつ、内容物を補充するに際してはそれを簡単に取り外すことができるるようにねじ止め形式のキャップが備えられた構造になっているのが普通である。
【０００４】
ところで、このような噴出器は、簡単に取り外すことができるが故に、例えば店頭に陳列した商品やホテル等の洗面所等に据え置かれた容器に対しては内容物が入れ換えられたり、抜き取られる悪戯が起きることが懸念されており、この点に関する改善が求められていた。
【０００５】
このような問題に対処した先行技術としては、噴出器とは別個の治具を用意しておき、内容物を補充するに当たっては該治具を使用して噴出器を取り外す構造のものが提案されている（例えば、特許文献１、特許文献２参照）。
【０００６】
【特許文献１】
実公平７−１８６１１号公報
【０００７】
【特許文献２】
２００２−２２５９０６号公報
【０００８】
しかしながら、上記のような液体噴出器は、それを取り外すための治具を別途用意しておく必要があることから、取り付け、取り外し作業に手間がかかるうえ、治具を紛失してしまった場合には、液体の補充が不可能になってしまうおそれがあった。
【０００９】
【発明が解決しようとする課題】
本発明の課題は、液体噴出器の容器の口部に対するロックを確実にして悪戯の防止を図るとともに、内容物を補充するに際しては治具等を使用することなしに簡単な操作でもって取り外すことができる新規な噴出器を提案するところにある。
【００１０】
【課題を解決するための手段】
本発明は、容器の口部に装着されるキャップと、このキャップに保持され押圧操作を繰り返して容器内の液体を吸引、加圧して外界に噴出させるポンプ機構を備えた噴出器であって、
前記キャップは、容器の口部に直接締めつけられて容器内を密閉する内キャップと、この内キャップに極僅かな間隔を隔てて覆いかぶさる外キャップからなり、
内キャップと外キャップとの間に、外キャップの胴体部分の押圧に伴う弾性変形にて内キャップと外キャップを係合させてキャップの締め込みとその解除を行う係合手段を設けたことを特徴とする液体噴出器である。
【００１１】
上記の構成になる噴出器において係合手段は、少なくとも１つの縦溝とこの縦溝に嵌合する縦リブからなるものとするが好ましい。
【００１２】
また、内キャップと外キャップとの相互間には、キャップを締めつける向きに内キャップ及び外キャップを供回りさせるが緩める向きには外キャップのみを空転させるラチェットを設けるのが望ましい。
【００１３】
【発明の実施の形態】
以下、図面を用いて本発明をより具体的に説明する。
【００１４】
図１（ａ）（ｂ）は本発明に従う液体噴出器の実施の形態を示したものであり、図における１は内容物を充填する容器、２は容器１の口部１ａにねじ止めによって固定保持される例で示したキャップ、３はキャップ２に保持されるポンプ機構であって、このポンプ機構３は押圧ヘッド３ａを繰返し押圧することで容器１内の液体を吸引、加圧してノズル３ｂより噴出させることができるようになっている。
【００１５】
上記キャップ２は、容器１の口部１ａに直接締めつけられて容器１内を密閉する内キャップ２ａと、この内キャップ２ａに極僅かな間隔を隔てて覆い被さる弾性変形可能な外キャップ２ｂからなっており、その相互間には係合手段４が設けられている。
【００１６】
係合手段４は内キャップ２ａの外周に設けられた縦溝４ａと外キャップ２ｂの内壁に設けられ該縦溝４ａに嵌合する縦リブ４ｂにて構成することができるもので、こられの縦溝４ａ、縦リブ４ｂはその周りに少なくとも１つ設けることができる。
【００１７】
上掲図１に示すような状態においては、内キャップ２ａと外キャップ２ｂはそのＡ−Ａ断面を図１（ｂ）に示すように、互いに離反しており、キャップ２を締め込む向きあるいは緩める向きの何れに回動させても外キャップ２ｂが空回りするのみで噴出器を取り外すことはできない。
【００１８】
一方、図２（ａ）（ｂ）に示す矢印の如く、外キャップ２ｂの胴体部分を押圧して弾性変形させて図２（ｂ）のＢ−Ｂ断面に示す如く内キャップ２ａの縦溝４ａに外キャップ２ｂの縦リブ４ｂを嵌合させた状態で外キャップ２ｂを回転させると内キャップ２ａも外キャップ２ｂとともに回転することになり、これによって噴出器の取り外し、取り付けが可能になり、外キャップ２ｂの押圧を解除するのみで上掲図１に示すような状態、すなわち、外キャップ２ｂが空回りする状態に保たれる。
【００１９】
なお、図示のように縦溝４ａを内キャップ２ａの全周に間隔を狭めて均等間隔で設けておけば、外キャップ２ｂの胴体部分のどの位置を押圧しても縦リブ４ｂが嵌合状態となり、内キャップ２ａの回転が可能となる。また、このように縦溝４ａを全周に形成する場合には、既存のキャップに設けられているローレットを縦溝４ａとして代用することも可能であり、この場合には新たに製作する金型を外キャップのみとして、改良にかかる経費を抑えることができる。内キャップ２ａと外キャップ２ｂにおける縦溝４ａと縦リブ４ｂの形成位置は逆転して構成することもできるものでこの点については限定されない。
【００２０】
図３（ａ）（ｂ）は本発明に従う液体噴出器の他の実施の形態を示したものであり、図における５は内キャップ２ａと外キャップ２ｂの相互間に設けられたラチェットである。このラチェット５は、図３（ｂ）のＣ−Ｃ断面に示したように内キャップ２ａの外周に間隔をあけて設けられた傾斜付きの複数の突起５ａと、外キャップ２ｂの内壁に設けられ突起５ａの傾斜に沿い一方向にのみに乗り越え可能な複数の弾性片５ｂからなっており、キャップ２を締め付ける向きに回転させる場合には弾性片５ｂが内キャップ２ａの突起５ａに当接して内キャップ２ａと外キャップ２ｂが供回りして容器１の密閉を行うことができるが、キャップ２を取り外すように回転させた場合には外キャップ２ｂのみが回転することになる。
【００２１】
かかる構造において噴出器を取り外すべく、キャップ２を緩めるには、図４の矢印に示すように、外キャップ２ｂの胴体部分を押圧してその部位を弾性変形させ、内キャップ２ａの縦溝４ａに外キャップ２ｂの縦リブ４ｂを嵌合させた状態で外キャップ２ｂを回転させる。
【００２２】
とくにこのようなラチェット５を備えた噴出器においては、キャップ２を締め込んで容器を密閉するとき、外キャップ４ｂの胴体部分を押圧するような動作を必要としないので締め込み操作が簡単になる利点がある。
【００２３】
【発明の効果】
本発明によれば、サイズの大型化を招くような余計な部材を必要とせずに噴出器を容器の口部にロック状態で装着することができるため内容物の入れ換えや抜き取り等の悪戯を未然に防止することが可能であり安全性が高い。
【００２４】
また、余計な治具を必要とせずに簡便な操作のもとで噴出器の取り付け、取り外しができる。
【図面の簡単な説明】
【図１】本発明に従う液体噴出器の実施の形態を示した図である。
【図２】キャップの緩め方の要領を説明した図である。
【図３】本発明に従う液体噴出器の他の実施の形態を示した図である。
【図４】キャップの緩め方の要領を説明した図である。
【符号の説明】
１  容器
１ａ  口部
２  キャップ
２ａ  内キャップ
２ｂ  外キャップ
３  ポンプ機構
３ａ  押圧ヘッド
４  係合手段
４ａ  縦溝
４ｂ  縦リブ
５  ラチェット
５ａ  突起
５ｂ  弾性片
【図１】
2004344784.tif 000003
【図２】
2004344784.tif 000004
【図３】
2004344784.tif 000005
【図４】
2004344784.tif 000006